(57)【要約】【課題】  建造物出隅部に対して出隅材を着脱可能とする出隅材取付具を提供する。【解決手段】  出隅材取付具１０は、出隅材隅部２０ａに対応する取付具隅部１０ａを形成するとともに出隅材側面部２０ｂに対応する一対の取付具側面部１０ｂからなり、建造物出隅部１００に装着固定される取付具本体部１１と、取付具本体部１１の各取付具側面部１０ｂにその側端側に向かって斜め外向きに延びるように形成されている係合部１２と、取付具本体部１１の一方の取付具側面部１０ｂに係合部１２による出隅材側面部２０ｂの係合面２２ａへの係合当接を解除することができるように可動に設けられた係合解除部材１５と、を備えている。【選択図】  図１
2005127103.tif 000002
【特許請求の範囲】
【請求項１】
出隅材隅部を形成する一対の出隅材側面部の各々の内面に内側を向くように係合面が形成された出隅材を建造物出隅部に取り付けるために使用される出隅材取付具であって、
出隅材隅部に対応する取付具隅部を形成すると共に出隅材側面部に対応する一対の取付具側面部からなり、建造物出隅部に装着固定される取付具本体部と、
上記取付具本体部の各取付具側面部に、その側端側に向かって斜め外向きに延びるように形成され、出隅材側面部の係合面に係合当接してその係合面を出隅材側面部の側端側に向かって押圧する係合部と、
上記取付具本体部の少なくとも一方の取付具側面部に、該取付具側面部の係合部による出隅材側面部の係合面への係合当接を解除することができるように可動に設けられた係合解除部材と、
を備えたことを特徴とする出隅材取付具。
【請求項２】
請求項１に記載された出隅材取付具において、
上記係合解除部材は、上記取付具側面部に対して横方向に摺動可能に設けられ、該取付具側面部の側端側に移動したときに上記係合部を上記取付具本体部側に移動させることによりその出隅材側面部の係合面への係合当接を解除するように構成されていることを特徴とする出隅材取付具。
【発明の詳細な説明】
【技術分野】
【０００１】
本発明は、出隅材取付具に関するものである。
【背景技術】
【０００２】
出隅材は、建造物出隅部を化粧するなどの目的で取り付けられる断面略「く」字状の部材である。すなわち、出隅材は、出隅材隅部と出隅材隅部を形成する一対の出隅材側面部とを備えている。そして、従来の出隅材は、サイディング材と同質であり、釘打されることにより建造物出隅部に取り付けられる。しかし、この方法を用いて施工すると、出隅材が破損する虞がある。そのため、細心の注意を払って施工しなければならず、その結果、施工に時間がかかる。また、施工後の建造物出隅部には釘頭が多数見うけられ、美観が損なわれるという不都合も生じる。
【０００３】
これらの不都合を解決するために、例えば、特許文献１及び２には、断面略「く」字状の出隅材取付具を用いて出隅材を建造物出隅部に取り付けるという技術が開示されている。特許文献１及び２に開示されている出隅材取付具は、出隅材隅部に対応する取付具隅部と出隅材側面部に対応する一対の取付具側面部とで構成されている。そして、取付具隅部には嵌合部が形成されている。また、特許文献１及び２に開示されている出隅材は、出隅材隅部と出隅材隅部を形成する一対の出隅材側面部とを備えているとともに、出隅材隅部の内側に縦溝を備えている。すなわち、出隅材隅部と取付具隅部とが、出隅材側面部と取付具側面部とが、及び出隅材の縦溝と出隅材取付具の嵌合部とが、対応する。また、横方向において、取付具側面部の方が出隅材側面部よりも長い。そして、まず、出隅材の縦溝に出隅材取付具の嵌合部を弾入する。これにより、出隅材は出隅材取付具に係合される。その後、釘などの固定具を用いて、出隅材側面部より延出している取付具側面部を建造物出隅部の側面に装着固定する。これにより、出隅材取付具を介して出隅材を建造物出隅部に取り付ける、と記載されている。この場合、出隅材は、釘打されることはないため破損することはない。その結果、細心の注意を払って出隅材を取り付ける必要はなく、施工に時間がかかることはない。また、出隅材を取り付けた後に、出隅材に沿うように外装サイディング材を列設するため、釘頭は覆われ施工後の美観が損なわれることもない。従って、出隅材を直接、建造物出隅部に取り付ける場合に生じる不都合は解消される。そのため、出隅材を建造物出隅部に取り付ける工法は、固定具を用いて直接取り付ける工法から出隅材取付具を介して取り付ける工法へと移行している。
【０００４】
しかしながら、特許文献１及び２に開示されている出隅材の取付方法では、出隅材の隅部に出隅材取付具の隅部を係入しているにすぎないため、出隅材を出隅材取付具に強固に固定することはできない虞がある。そして、出隅材取付具は建造物出隅部に装着固定されているため、その結果、出隅材を建造物出隅部に強固に固定することはできない。そのため、出隅材はがたつき、出隅材の取付精度が損なわれる虞がある。
【０００５】
そこで、例えば、特許文献３には、取付具側面部に係合部が形成された出隅材取付具を介して、出隅材側面部の内面に内側を向くように係合面が形成された出隅材を建造物出隅部に取り付ける、という技術が開示されている。具体的には、出隅材取付具は、第１、２係合部を取付具側面部に備える。第１係合部は、出隅材取付具の側端側に向かって斜め外向きに延びるように形成されている。第２係合部は、取付具隅部に向かって斜め外向きに立ち上がる脚部と、その脚部の端で折り返されて出隅材取付具の側端側に向かって斜め内向きに延びる係止片部と、を備える。そして、断面において、第１係合部の基端部と第２係合部の基端部とは重なる。また、出隅材は、その側面部の内面に係合面が内側を向くように第１、２係合溝を備えている。第１係合溝の係合面は第１係合部の端面が接触するように、第２係合溝の係合面は第２係合部の係止片部の端面が接触するように、形成されている。そのため、この出隅材取付具を介してこの出隅材を建造物出隅部に取り付けると、出隅材取付具の第１係合部が出隅材の第１係合溝の係合面に対して斜め外向きに押圧するとともに、出隅材取付具の第２係合部が出隅材の第２係合溝の係止片部の係合面に対して斜め内向きに押圧する。よって、出隅材の第１係合溝の係合面から出隅材取付具の第１係合部に対して斜め内向きの力がはたらくとともに、出隅材の第２係合溝の係合面から出隅材取付具の第２係合部に対して斜め外向きの力がはたらく。よって、出隅材は出隅材取付具に強固に固定される。ここで、出隅材取付具は建造物出隅部に装着固定されているため、出隅材を建造物出隅部に強固に固定することができる、と記載されている。
【特許文献１】実公昭６２−１５３９５号公報
【特許文献２】実公昭６２−１５３９６号公報
【特許文献３】特開２００２−２５０１１０号公報（第５頁、第８図）
【発明の開示】
【発明が解決しようとする課題】
【０００６】
ところで、施工時に出隅材の取付形態を誤った場合などは、取り付けた出隅材を建造物出隅部から取り外す必要がある。しかしながら、特許文献３に開示されている出隅材取付具を介して建造物出隅部に出隅材を取り付けると、出隅材取付具及び出隅材に係合解除部が設けられていないため、出隅材を建造物出隅部から取り外すことは困難である。
【０００７】
本発明は、かかる点に鑑みてなされたものであり、その目的とするところは、建造物出隅部に対して出隅材を着脱可能とする出隅材取付具を提供することにある。
【課題を解決するための手段】
【０００８】
請求項１の発明は、出隅材隅部を形成する一対の出隅材側面部の各々の内面に内側を向くように係合面が形成された出隅材を建造物出隅部に取り付けるために使用される出隅材取付具であって、出隅材隅部に対応する取付具隅部を形成すると共に出隅材側面部に対応する一対の取付具側面部からなり、建造物出隅部に装着固定される取付具本体部と、上記取付具本体部の各取付具側面部に、その側端側に向かって斜め外向きに延びるように形成され、出隅材側面部の係合面に係合当接してその係合面を出隅材側面部の側端側に向かって押圧する係合部と、上記取付具本体部の少なくとも一方の取付具側面部に、該取付具側面部の係合部による出隅材側面部の係合面への係合当接を解除することができるように可動に設けられた係合解除部材と、を備えたことを特徴とする。
【０００９】
従来の出隅材取付具を介して出隅材を建造物出隅部に取り付けると、出隅材を取り外すことはできない。しかし、本発明の出隅材取付具は、出隅材との係合部とその係合を解除する係合解除部材とを備えている。よって、この出隅材取付具は出隅材に対して着脱可能である。ここで、出隅材取付具は建造物出隅部に装着固定されているため、出隅材は出隅材取付具を介して建造物出隅部に取り付けられる。従って、この出隅材取付具は、出隅材を建造物出隅部に取り付けるとともに、一旦取り付けられた出隅材を建造物出隅部から取り外すことを可能とする。
【００１０】
請求項２の発明は、上記係合解除部材は、上記取付具側面部に対して横方向に摺動可能に設けられ、該取付具側面部の側端側に移動したときに上記係合部を上記取付具本体部側に移動させることによりその出隅材側面部の係合面への係合当接を解除するように構成されていることを特徴とする。
【００１１】
上記の構成によると、係合解除部材を取付具側面部の側端側へ移動させると、出隅材と出隅材取付具との係合を解除することができる。すなわち、建造物出隅部から出隅材を取り外すためには、出隅材取付具の係合解除部材を取付具側面部の側端側へ移動させればよい。よって、建造物出隅部から出隅材を容易に取り外すことができる。
【発明の効果】
【００１２】
本発明の出隅材取付具は、建造物出隅部に出隅材を着脱可能にする。
【発明を実施するための最良の形態】
【００１３】
以下、本発明の実施形態の出隅材取付具１０の構造、出隅材２０の構造及び出隅材取付具１０を介して出隅材２０を建造物出隅部１００に着脱する方法を図面に基づいて詳細に説明する。
【００１４】
まず、出隅材取付具１０の構造を説明する。
【００１５】
図１に本発明の出隅材取付具１０を示す。図１（ａ）は出隅材取付具１０を外側から見た場合、図１（ｂ）は出隅材取付具１０を内側から見た場合、を示す。また、図２（ａ）は取付具本体部１１の正面、図２（ｂ）は係合解除部材１５の正面を示す。
【００１６】
この出隅材取付具１０は、断面略「く」字状の取付具本体部１１と取付具本体部１１に設けられた係合解除部材１５とを備えている。
【００１７】
取付具本体部１１は、矩形状の一枚金属板を断面「く」字状となるよう屈曲することにより形成されている。そして、その折曲部分が取付具隅部１０ａを構成し、その両側がそれぞれ取付具側面部１０ｂ，１０ｂを構成している。そして、図１に示すように、取付具側面部１０ｂ，１０ｂは、係合解除部材１５が係合されている取付具側面部１０ｂ（以下、「解除部材取付側側面部」という。）と係合解除部材１５が係合されていない取付具側面部１０ｂ（以下、「非取付側側面部」という。）とで構成されている。また、取付具本体部１１は、各取付具側面部１０ｂの側端にはその側端側に向かって斜め外向きに延びるように形成された係合部１２を備えている。そして、取付具側面部１０ｂ，１０ｂには、取付具本体部１１全体の輪郭を描くように内側に突出して設けられたリブ１１ｄとリブ１１ｄよりも内部に上下一対に外側に突出して設けられた短尺のリブ１１ｅ，１１ｅとが設けられている。
【００１８】
係合部１２，１２は取付具側面部１０ｂの一部を「コ」字状に打ち抜くことにより形成されている。そして、固定具挿通孔１１ｃ，１１ｃが係合部１２の「コ」の字の開口部付近に設けられている。また、各短尺のリブ１１ｅは、解除部材取付側側面部の取付具側面部１０ｂ上における取付具隅部１０ａと係合部１２の基端部１２ａとの略中点を始点とし、非取付側側面部の取付具側面部１０ｂ上における係合部１２の基端部１２ａ付近を終点とするように設けられている。
【００１９】
係合解除部材１５は、一枚の金属板であり横方向の方が上下方向よりも長い。そして、係合解除部材１５の上下方向の長さ及び横方向の長さは、それぞれ、取付具本体部１１の一方の取付具側面部１０ｂの上下方向の長さ及び横方向の長さと略同一である。また、係合解除部材１５は、その上端及び下端に摺動用係合部１５ａ，１５ａを、その一方の側端部に突出部１５ｂを、その側面の中央に略「凸」字状の係合部突出用孔１６を、それぞれ備えている。そして、図１に示すように、係合解除部材１５は、突出部１５ｂが設けられていない側端（以下、「本体係合側端１５ｃ」という。）側の部分が取付具本体部１１に係合されている。各摺動用係合部１５ａは、横方向において、本体係合側端１５ｃを始点とし係合解除部材１５の横方向略中央位置を終点とするように設けられている。また、各摺動用係合部１５ａは「コ」の字溝を形成するように折り返されている。そして、上端に設けられた摺動用係合部１５ａ及び下端に設けられた摺動用係合部１５ａは、それぞれ解除部材取付側側面部の取付具側面部１０ｂの上端及び下端に係合している。突出部１５ｂは、本体係合側端１５ｃに対向する側端の上下方向略中央位置に設けられ、突出部１５ｂの上下方向の長さは係合解除部材１５の上下方向の長さの略１／３に形成されている。また、突出部１５ｂは外側に「Ｌ」字状に折曲されている。係合部突出用孔１６は、本体係合側端１５ｃ側に小さい方の矩形が設けられ、突出部１５ｂが設けられている側端側に大きい方の矩形が設けられている。
【００２０】
係合解除部材１５は、取付具本体部１１の取付具側面部１０ｂ上を摺動できる。そのうえ、リブ１１ｄが取付具本体部１１全体の輪郭を描くように設けられており、これにより、係合解除部材１５は滑らかに摺動できる。また、短尺のリブ１１ｅにより取付具隅部１０ａに近づく方向への係合解除部材１５の移動は制限される。そのため、図１に示すように、係合解除部材１５は、本体係合側端１５ｃが解除部材取付側側面部における短尺のリブ１１ｅの側端よりも取付具側面部１０ｂの側端側に位置づけられるように、取付具本体部１１に係合している。ここで、図２に示すように、本体係合側端１５ｃから係合部突出用孔１６の大きい方の矩形の上下方向のうち本体係合側端１５ｃに近い方（以下、「係合解除端１６ａ」という。）までの距離ｌ1’は、解除部材取付側側面部の取付具側面部１０ｂにおける短尺のリブ１１ｅの側端から係合部１２の基端部１２ａまでの距離ｌ1よりも短い。よって、本体係合側端１５ｃと係合解除端１６ａとで挟まれる係合解除部材１５の側面は、解除部材取付側側面部における短尺のリブ１１ｅの側端と係合部１２とで挟まれる取付具側面部１０ｂに収まることとなる。また、図２に示すように、係合部突出用孔１６の横方向の長さｌ2’は係合部１２の横方向の長さｌ2よりも長く、係合部突出用孔１６の上下方向の短い方の長さｌ3’は係合部１２の基端部１２ａの長さｌ3よりも長く、係合部突出用孔１６の上下方向の長い方の長さｌ4’は係合部１２の上下方向の長さｌ4よりも長い。よって、係合部突出用孔１６は係合部１２よりも大きい。そのため、図１に示すように、係合解除部材１５は、解除部材取付側側面部の取付具側面部１０ｂを覆うように設けられても、係合部１２は係合部突出用孔１６を貫通して取付具側面部１０ｂから外側へ向かうように設けられる。また、出隅材取付具１０において、係合部１２の基端部１２ａと係合部突出用孔１６の係合解除端１６ａとは略平行となる。
【００２１】
次に、出隅材２０の構造を説明する。
【００２２】
出隅材２０は、図３、４に示すように、断面略「く」字状であり、出隅材隅部２０ａと出隅材隅部２０ａを形成する一対の出隅材側面部２０ｂ，２０ｂとで構成されている。そして、出隅材側面部２０ｂ，２０ｂの内面には、係合面２２ａ，２２ａが内側を向くように係合溝２２，２２が設けられている。各係合溝２２は、長辺を等辺とする略二等辺三角形と略矩形とを足し合わせた形状を断面とし、略二等辺三角形が出隅材２０の側端側に設けられ略矩形が出隅材隅部２０ａ側に設けられている。そして、係合面２２ａは係合溝２２の断面における略二等辺三角形の短辺である。
【００２３】
続いて、建造物出隅部１００に出隅材２０を取り付ける手順を説明する。
【００２４】
図３は、建造物出隅部１００に出隅材２０を取り付ける手順を示す。
【００２５】
まず、建造物出隅部１００に出隅材取付具１０を装着固定する。このとき、図３に示すように、出隅材取付具１０の取付具本体部１１を建造物出隅部１００に沿うように配置する。そして、固定具挿通孔１１ｃ，１１ｃに釘などの固定具１０３，１０３を挿通させる。これにより、建造物出隅部１００に取付具本体部１１を装着固定する。
【００２６】
次に、出隅材取付具１０に出隅材２０を取り付ける。このとき、図３に示すように、取付具隅部１０ａと出隅材隅部２０ａとを、及び各取付具側面部１０ｂと各出隅材側面部２０ｂとを対応させる。また、出隅材２０の係合溝２２の係合面２２ａに出隅材取付具１０の係合部１２を係合当接させる。そして、図５（ａ）〜（ｃ）に示すように、係合部１２の基端部１２ａをＸ、取付具本体部１１上にない係合面２２ａの端をＹ、係合面２２ａと取付具本体部１１との交点をＺとすると、Ｘと係合面２２ａとの間隔は、ＸＹ間距離が最も短く、係合面２２ａに沿ってＺに近づくにつれ長くなり、よってＸＺ間距離が最も長い。また、係合部１２はＸＹ間距離よりも長くＸＺ間距離よりも短い。従って、出隅材取付具１０の係合部１２は出隅材２０の係合面２２ａのいずれかの点で係合当接される。これにより、出隅材２０は、出隅材取付具１０に係合され、その結果、建造物出隅部１００に取り付けられることとなる。このようにして取り付けられると、出隅材取付具１０の係合部１２は出隅材２０の係合面２２ａに対して斜め外向きに押圧する。そのため、出隅材２０の係合面２２ａから出隅材取付具１０の係合部１２に対して斜め内向きの力がはたらき、その結果、出隅材２０は出隅材取付具１０に強固に固定される。出隅材取付具１０は建造物出隅部１００に装着固定されているため、これにより、出隅材２０は建造物出隅部１００に強固に固定されることとなる。なお、出隅材２０と出隅材取付具１０とを係合当接させても、係合解除部材１５の突出部１５ｂの先端は建造物出隅部１００の表面に露出している。
【００２７】
最後に、建造物出隅部１００から出隅材２０をとりはずす手順を説明する。
【００２８】
図４は、建造物出隅部１００から出隅材２０をとりはずす手順を示す。図５は、建造物出隅部１００から出隅材２０をとりはずすさいの解除部材取付側側面部の係合部１２が変化する様子を示す。なお、図４（ａ）は図５（ａ）に、図４（ｂ）は図５（ｂ）に、図４（ｃ）は図５（ｃ）に、それぞれ対応している。
【００２９】
まず、図４（ａ）に示すように、出隅材２０の側端と係合解除部材１５の突出部１５ｂとの間にマイナスドライバーなどの先端が細い棒１０４を挿入する。このとき、図５（ａ）に示すように、係合部１２は係合面２２ａに係合当接している。
【００３０】
次に、棒１０４を持ちながら、突出部１５ｂが取付具隅部１０ａから遠ざかる方向に力を加える。そして、係合解除端１６ａは解除部材取付側側面部の係合部１２の基端部１２ａに近づく。
【００３１】
その後も棒１０４を持ちながら、突出部１５ｂが取付具隅部１０ａから遠ざかるように力を加える。すると、係合解除端１６ａは解除部材取付側側面部の係合部１２の基端部１２ａよりも取付具側面部１０ｂの側端側に位置することとなる。そのため、解除部材取付側側面部の係合部１２の一部が係合解除部材１５の側面に覆われることとなる。その結果、図５（ｂ）に示すように、解除部材取付側側面部の係合部１２には取付具側面部１０ｂに近づく方向（図５（ｂ）に示す矢印の方向）に力が加わる。よって、解除部材取付側側面部の係合部１２と取付具本体部１１とがなす角度は、図５（ａ）に示す場合に比べ小さくなる。このとき、係合部１２はＸＹ間距離よりも長くＸＺ間距離よりも短い。また、Ｘと係合面２２ａとの間隔は、ＸＹ間距離が最も短くＸＺ間距離が最も長い。そのため、係合部１２は、図５（ｂ）に示すように、出隅材２０の係合溝２２の係合面２２ａに係合当接されなくなる。よって、出隅材２０は出隅材取付具１０にそれほど強固に係合されなくなる。
【００３２】
その後も棒１０４を持ちながら、突出部１５ｂが取付具隅部１０ａから遠ざかるように力を加える。すると、解除部材取付側側面部の係合部１２は完全に係合解除部材１５の側面に覆われることとなる。そして、係合部１２は、解除部材取付側側面部における欠損部１１ａよりも小さいため欠損部１１ａに収容される。また、係合部１２の長さはＸＺ間距離よりも短いため、解除部材取付側側面部における係合部１２と係合面２２ａとの係合当接は完全に解除されることとなる。その結果、非取付側側面部における係合部１２と係合面２２ａとの係合当接を解除することができ、図５（ｃ）に示すように、出隅材２０は出隅材取付具１０からはずれる。
【００３３】
従来の出隅材取付具を介して出隅材を建造物出隅部に取り付けると、出隅材を取り外すことはできない。しかし、本実施形態における出隅材取付具１０は係合部１２と係合解除部材１５とを備えているため、出隅材取付具１０を介して出隅材２０を建造物出隅部１００に強固に固定することができるとともに取り付けた後に取り外すこともできる。また、係合解除部材１５を取付具隅部１０ａから遠ざけるように摺動させればよいため、取り外しが容易である。
【００３４】
《その他の実施形態》
上記実施形態において、係合解除部材１５は出隅材取付具１０の一方の取付具側面部１０ｂを覆うように設けられているとしたが、両方の取付具側面部１０ｂに設けられていても構わない。
【００３５】
また、上記実施形態において、係合部１２の形状を略「コ」字状としたがこれに限定されることはない。係合部１２は、出隅材２０の係合面２２ａに係合当接されるように形成されていればよい。また、突出部１５ｂの形状は上記実施形態における形状に限定されない。建造物出隅部１００に出隅材２０を取り付けた後に、棒１０４などを用いて係合解除部材１５を摺動させることができればよい。また、係合解除部材１５における係合部突出用孔１６の形状は、略「凸」字状に限定されない。係合解除部材１５を取付具側面部１０ｂの側端側へ移動させたときに係合部１２が取付具側面部１０ｂに近づき、係合部１２が係合面２２ａと接触しなくなればよい。
【００３６】
また、上記実施形態において、各取付具側面部１０ｂ上における係合部１２及び固定具挿通孔１１ｃの位置は図１に限定されない。特に、係合部１２と出隅材２０における係合面２２ａとは、互いに対応するように位置づけられていればよい。
【図面の簡単な説明】
【００３７】
【図１】本実施形態における出隅材取付具１０の斜視図である。
【図２】本実施形態における出隅材取付具１０の正面図である。
【図３】出隅材２０を建造物出隅部１００に取り付ける手順を示す説明図である。
【図４】出隅材２０を建造物出隅部１００から取り外す手順を示す説明図である。
【図５】出隅材２０を建造物出隅部１００から取り外すさいの係合溝２２の拡大図である。
【符号の説明】
【００３８】
１０    出隅材取付具
１０ａ    取付具隅部
１０ｂ    取付具側面部
１１    取付具本体部
１１ａ    欠損部
１１ｂ    舌片
１１ｃ    固定具挿通孔
１１ｄ    リブ
１１ｅ    短尺のリブ
１２    係合部
１２ａ    基端部
１５    係合解除部材
１５ａ    摺動用係合部
１５ｂ    突出部
１５ｃ    本体係合側端
１６    係合部突出用孔
１６ａ    係合解除端
２０    出隅材
２０ａ    出隅材隅部
２０ｂ    出隅材側面部
２２    係合溝
２２ａ    係合面
１００    構造物出隅部
１０３    固定具
１０４    棒
【図１】
2005127103.tif 000003
【図２】
2005127103.tif 000004
【図３】
2005127103.tif 000005
【図４】
2005127103.tif 000006
【図５】
2005127103.tif 000007